(57)【要約】【課題】本考案は、簡単な構造で雨水に対する効果的な防水性を発揮する新規な防水筐体、及び前記防水筐体を用いた防水構造を提供することを目的とする。【解決手段】  筐体本体２と、前記筐体本体２の開口端２０を塞ぐ蓋体３と、前記筐体本体２と前記蓋体３との間に配されたシール部材４と、前記蓋体３を前記筐体本体２に向かって押し付ける押付部材５と、を具備してなる防水筐体１において、前記筐体本体２の開口端２０の連続する三辺に、外方に向かって張り出す軒部２１を設け、各軒部２１に連続的に沿う全体形状となされた帯状の前記シール部材４を、前記軒部２１と前記蓋体３との間で挟持させる。【選択図】図１
0003221093.tif 000002
【実用新案登録請求の範囲】
【請求項１】
内部への雨水の侵入を抑止する防水性が付与された防水筐体であって、
開口端を有する筐体本体と、
前記筐体本体の開口端を塞ぐ蓋体と、
前記筐体本体と前記蓋体との間に配されたシール部材と、
前記蓋体を前記筐体本体に向かって押し付ける押付部材と、
を具備してなり、
前記筐体本体の開口端の連続する三辺に、外方に向かって張り出す軒部が設けられ、
各軒部に連続的に沿う全体形状となされた帯状の前記シール部材が、前記軒部と前記蓋体との間で挟持されてなることを特徴とする防水筐体。
【請求項２】
請求項１に記載の防水筐体において、
前記押付部材が、前記蓋体及び前記軒部のエッジを囲う外装カバーの役割を兼ねる防水筐体。
【請求項３】
請求項１又は２に記載の防水筐体において、
前記軒部の端部に、前記筐体本体の底方向側へ向かう返り部が設けられてなる防水筐体。
【請求項４】
請求項１ないし３のいずれか１項に記載の防水筐体において、
前記軒部の幅が、５ｍｍ以上となされた防水筐体。
【請求項５】
請求項１ないし４のいずれか１項に記載の防水筐体内に電気機器、又は電子部品が収納されてなることを特徴とする防水構造。
【考案の詳細な説明】
【技術分野】
【０００１】
本考案は、内部への雨水の侵入を抑止する防水性が付与された防水筐体、前記防水筐体を用いた防水構造に関する。
【背景技術】
【０００２】
最近、マンションやビル等の建物に対し、カードリーダーを用いた入退管理が導入されている。一般的なカードリーダーは、建物の入り口付近に設けられて入り口のドアロックを制御するシステムであり、建物内に入ろうとする者が専用のＩＤカードを提示すればドアのロックを解除し、ＩＤカードの提示がない限りドアのロックを解除しない仕組みとなされている。
【０００３】
この種のカードリーダーは、屋外から建物内への不審者の侵入等を防止するセキュリティー装置であり、その性質上、屋外へ設置される場合が多い。そのため、前記カードリーダーの筐体には、雨水の侵入を抑止して、内部の電気機器や電子部品を保護するための防水性を付与する必要がある（例えば、下記特許文献１参照。）。
【先行技術文献】
【特許文献】
【０００４】
【特許文献１】特開２００１‐１２７４５１号公報
【考案の概要】
【考案が解決しようとする課題】
【０００５】
前記特許文献１に開示された「操作ボックスの壁面取付構造」では、電気機器や電子部品を収納させた筐体のフロントカバーと壁面との間にシール部材を充填することによって防水性を付与している。しかしながら、このような構造では、雨水がシール部材に沿って滞留し、内部に染み込む場合がある。
【０００６】
勿論、現段階の技術において、強固なシールや複雑な防水構造により、ほぼ完全な防水を実現することは可能である。しかしながら、強固なシールや複雑な防水構造は、装置全体としてのコスト高を招く。
【０００７】
本考案は前記技術的課題に鑑みて開発されたものであり、簡単な構造で雨水に対する効果的な防水性を発揮する新規な防水筐体、及び前記防水筐体を用いた防水構造を提供することを目的とする。
【課題を解決するための手段】
【０００８】
前記技術的課題を解決するための本考案の防水筐体は、内部への雨水の侵入を抑止する防水性が付与された防水筐体であって、開口端を有する筐体本体と、前記筐体本体の開口端を塞ぐ蓋体と、前記筐体本体と前記蓋体との間に配されたシール部材と、前記蓋体を前記筐体本体に向かって押し付ける押付部材と、を具備してなり、前記筐体本体の開口端の連続する三辺に、外方に向かって張り出す軒部が設けられ、各軒部に連続的に沿う全体形状となされた帯状の前記シール部材が、前記軒部と前記蓋体との間で挟持されてなることを特徴とする（以下、「本考案筐体」と称する。）。
【０００９】
前記本考案筐体においては、前記押付部材が、前記蓋体及び前記軒部のエッジを囲う外装カバーの役割を兼ねるものが好ましい態様となる。
【００１０】
前記本考案筐体においては、前記軒部の端部に、前記筐体本体の底方向側へ向かう返り部が設けられてなるものが好ましい態様となる。
【００１１】
前記本考案筐体においては、前記軒部の幅が５ｍｍ以上となされたものが好ましい態様となる。
【００１２】
前記技術的課題を解決するための本考案の防水構造は、前記本考案筐体内に電気機器、又は電子部品が収納されてなることを特徴とする（以下、「本考案構造」と称する。
【考案の効果】
【００１３】
本考案筐体は、内部への雨水の侵入を効果的に抑止する防水性が付与されたものであり、前記本考案筐体を用いた本考案構造において、内部に収納された電気機器、又は電子部品を雨水から好適に保護することができる。
【図面の簡単な説明】
【００１４】
【図１】図１は、実施形態１に係る本考案筐体を示す分解斜視図である。
【図２】図２は、前記本考案筐体を組み立てる際の途中経過を示す断面図（上部（ａ）、下部（ｂ））である。
【図３】図３は、前記本考案筐体を示す断面図（上部（ａ）、下部（ｂ））である。
【図４】図４は、前記本考案筐体を用いた本考案構造を示す斜視図である。
【図５】図５は、前記本考案筐体を設置した状態を示す正面図である。
【図６】図６は、前記本考案筐体の雨水に対する防水性を示す斜視図（ａ）と、側面図（ｂ）である。
【図７】図７は、実施形態２に係る本考案筐体を示す分解斜視図である。
【図８】図８（ａ）は、前記本考案筐体の押付部材の作成を示す斜視図であり、図８（ｂ）は、前記押付部材を示す斜視図である。
【図９】図９は、前記本考案筐体を組み立てる際の途中経過を示す断面図（上部（ａ）、下部（ｂ））である。
【図１０】図１０は、前記本考案筐体の雨水に対する防水性を示す斜視図（ａ）と、断面図（ｂ）である。
【考案を実施するための形態】
【００１５】
以下、本考案の実施形態を説明するが、本考案はこれらの実施形態に限定されるものではない。
【００１６】
［実施形態１］
＜本考案筐体（１）＞
図１に、本考案筐体１の一実施形態を示す。前記本考案筐体１は、「筐体本体（２）」と、「蓋体（３）」と、「シール部材（４）」と、「押付部材（５）」と、を具備する。
【００１７】
‐筐体本体２‐
前記筐体本体２は、開口端２０を有する容器であり、その内部空間に電気機器や電子部品等を収納する役割を担う。本実施形態において、前記筐体本体２は、矩形の開口端２０を有するステンレス製の箱体であり、前記開口端２０の連続する三辺（上辺及び両側辺）に、外方に向かって張り出す軒部２１が設けられている。本実施形態においては、前記軒部２１の幅は１０ｍｍとなされており、前記軒部２１と、前記筐体本体２の側面とがなす角は９０度となされている。又、前記筐体本体２の底面（前記軒部２１が設けられていない面）の開口端２０寄りの位置二箇所に、タップが刻まれたネジ穴２２が設けられている。
【００１８】
‐蓋体３‐
前記蓋体３は、前記筐体本体２の開口端２０を塞ぐ役割を担う。本実施形態において、前記蓋体３は、アクリル製の平面体であり、前記軒部２１の外縁形状に合わせた輪郭（矩形）となされている。又、前記蓋体３には、前記蓋体３の片側面（前面）の外縁周縁に沿って、帯状の緩衝材（スポンジ）３１が設けられている。
【００１９】
‐シール部材４‐
前記シール部材４は、前記筐体本体２と前記蓋体３との間に配されて、前記筐体本体２と前記蓋体３とのつなぎ目（隙間）をシールする役割を担う。前記シール部材４は、帯状となされ、又、各軒部２１に連続的に沿う全体形状となされる。本実施形態においては、前記シール部材の素材としてエプトシーラを用い、これを幅１０ｍｍのコ字状（溝型鋼状）に形成することによって、各軒部２１に連続的に沿う全体形状とした。
【００２０】
‐押付部材５‐
前記押付部材５は、前記蓋体３を前記筐体本体２に向かって押し付ける役割を担う。本実施形態において、前記押付部材５は、中央に開口窓５０が設けられたステンレス製の矩形の板材からなり、上辺に断面視コ字状の爪部５１が設けられると共に、下辺に舌片５２が設けられている。又、前記舌片５２には、貫通孔５３が二箇所設けられている。
【００２１】
そして、本実施形態に係る本考案筐体１を組み立てるにあたっては、まず、前記筐体本体２の軒部２１に前記シール部材４をあてがい、更にその上から前記蓋体３を重ねることによって、前記筐体本体２の開口端２０を塞ぐ。この状態で、図２（ａ）に示すように前記押付部材５の爪部５１を前記筐体本体２の上辺に存する軒部２１に引っ掛けるとともに、図２（ｂ）に示すように、前記舌片５２を前記筐体本体２の下面に滑り込ませる。最後に、前記押付部材５を前記筐体本体２に向かって押し付けながら、前記貫通孔５３を通じてボルトＢを前記ネジ穴２２に締結すれば、図３に示すように、前記軒部２１と前記蓋体３との間に前記シール部材４を挟持させた状態で、前記蓋体３が前記筐体本体２に向かって押し付けられてなる本考案筐体１が構築される。
【００２２】
＜本考案構造（１０）＞
前記構成を有する本考案筐体１は、図４に示すように、その内部に電気機器、又は電子部品が収納されて本考案構造１０をなす。本実施形態においては、前記本考案構造１０として、前記本考案筐体１の内部にカード読み取り器を収納させたカードリーダーを構築した。
【００２３】
そしてこの種のカードリーダーは、図５に示すように、屋外から建物内への不審者の侵入盗を防止するセキュリティー装置として使用されるため、雨天時に対する防水性を付与する必要がある。
【００２４】
この点につき、前記本考案筐体１を用いた本考案構造１０は、前記筐体本体２と前記シール部材４との間に前記軒部２１が存在するため、図６（ａ）に示すように、降ってきた雨水（Ｒ）は、前記筐体本体２の天板から両側板に向かって速やかに移動し、本考案筐体（本考案構造１０）１の下部に排水される。又、雨水（Ｒ）の程度によって、前記本考案筐体本体（本考案構造１０）１の天板に雨水（Ｒ）の滞留が生じたとしても、図６（ｂ）に示すように、前記軒部２１が障壁となって、シール部材４に対する雨水（Ｒ）の接触が制限される。これにより、前記本考案筐体（本考案構造１０）１は、雨水に対する良好な防水性を示す。
【００２５】
なお、本実施形態においては、前記本考案筐体１を用いた本考案構造１０として、カードリーダーを構築しているが、前記本考案筐体１の内部に収納する電気機器や電子部品は特に限定されない。
【００２６】
又、前記本考案筐体１を構築するための、前記筐体本体２、前記蓋体３、前記シール部材４、及び前記押付部材５の寸法や形状、素材についても限定されない。
【００２７】
更に、本実施形態においては、前記軒部２１につき幅１０ｍｍとしているが、前記軒部２１の幅は特に限定されない。但し、前記軒部２１の幅が大きくなるにつれて防水性が向上することが確認されており、前記軒部２１の幅としては５ｍｍ以上（より好ましくは１０〜３０ｍｍ）とすることが好ましい。
【００２８】
［実施形態２］
＜本考案筐体（１）＞
図７に、本考案筐体１の一実施形態を示す。前記本考案筐体１は、「筐体本体（２）」と、「蓋体（３）」と、「シール部材（４）」と、「押付部材（５）」と、を具備する。
【００２９】
‐筐体本体２‐
本実施形態における筐体本体２は、矩形の開口端２０の四辺全て（上辺、底辺及び両側辺）に外方に向かって張り出す軒部２１が設けられている点、前記軒部２１が前記筐体本体２の四隅において不連続となされた点、各軒部２１の端部に前記筐体本体２の底方向側へ向かう返り部２３が設けられている点、前記軒部２１のうち前記筐体本体２の底面二箇所に水抜き穴２４が設けられた点、において前記実施形態１に係る筐体本体２と異なり、その余は同様である。
【００３０】
‐蓋体３‐
本実施形態における蓋体３は、前記実施形態１において用いた蓋体３と同様、前記軒部２１の外縁形状に合わせた輪郭（矩形）となされている。
【００３１】
‐シール部材４‐
図８に示すように、本実施形態におけるシール部材４は、幅１０ｍｍの矩形状に形成することによって、各軒部２１に連続的に沿う全体形状とした。
【００３２】
‐押付部材５‐
本実施形態における押付部材５は、中央に開口窓５０が設けられたステンレス製の矩形の板材を屈曲して形成したものであり、上辺に断面視コ字状の爪部５１が設けられると共に、下辺及び両側辺に舌片５２が設けられている。
【００３３】
そして、本実施形態に係る本考案筐体１の組み立ては、前記実施形態１と同様、まず、前記筐体本体２の軒部２１に前記シール部材４をあてがい、更にその上から前記蓋体３を重ねることによって、前記筐体本体２の開口端２０を塞ぐ。この状態で、図９（ａ）に示すように前記押付部材５の爪部５１を前記筐体本体２の上辺に存する軒部２１に引っ掛けるとともに、図９（ｂ）に示すように、前記舌片５２を前記筐体本体２の下面に滑り込ませる。最後に、前記押付部材５を前記筐体本体２に向かって押し付けながら、前記貫通孔５２を通じてボルトＢを前記ネジ穴２２に締結すれば、本考案筐体１が構築される。
【００３４】
＜本考案構造（１０）＞
図１０（ａ）に示すように、前記構成を有する本考案筐体１は、前記実施形態１と同様、その内部に電気機器、又は電子部品が収納されて本考案構造１０をなす。
【００３５】
そして、前記本考案筐体１を用いた本考案構造１０は、前記筐体本体２と前記シール部材４との間に前記軒部２１が存在するため、降ってきた雨水（Ｒ）は、前記筐体本体２の天板から両側板に向かって速やかに移動し、本考案筐体（本考案構造１０）１の下部に排水される。又、雨水（Ｒ）の程度によって、前記本考案筐体本体（本考案構造１０）１の天板に雨水（Ｒ）の滞留が生じたとしても、図６（ｂ）に示すように、前記軒部２１が障壁となって、シール部材４に対する雨水（Ｒ）の接触が制限される。
【００３６】
特に、本実施形態に係る本考案筐体（本考案構造１０）１では、各軒部２１の端部に前記筐体本体２の底方向側へ向かう返り部２３が設けられているため、この返り部２３がさらなる障壁となって、シール部材４に対する雨水（Ｒ）の接触がより制限される。
【００３７】
更に、本実施形態に係る本考案筐体（本考案構造１０）１では、前記押付部材５が、前記蓋体３及び前記軒部２１のエッジを囲う外装カバーの役割を兼ねているため、前記シール部材４に対する雨水（Ｒ）の接触がより一層制限される。
【００３８】
ところで、本実施形態においては、前記軒部２１が前記筐体本体２の四隅において不連続となされているため、係る四隅において前記シール部材４が露出した状態となっているが、係る位置においてシール部材４が露出していても、雨水に対する防水性に殆ど影響がないことが確認されている。但し、本実施形態のように、前記軒部２１につき、前記筐体本体２の四隅において不連続とすれば、筐体本体２の加工コストが安くなる利点がある。
【００３９】
又、本実施形態においては、前記筐体本体２の底面に設けられた軒部２１に水抜き穴２４が設けられているが、この水抜き穴２４は、結露等によって前記蓋体が曇ることを抑制するために設けられたものであり、本考案筐体１における必須構成要素ではない。又、前記水抜き穴２４を設ける位置についても特に限定されない。
【００４０】
その余は、前記実施形態１と同様のため、繰り返しを避けるべく、ここでは説明を省略する。
【００４１】
なお、本考案は、その精神又は主要な特徴から逸脱することなく、他のいろいろな形態で実施することができる。そのため、上述の実施例はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００４２】
本考案は、内部への雨水の侵入を効果的に抑止し、内部の電気機器や電子部品を保護し得る筐体として好適に用いられる。
【符号の説明】
【００４３】
１  本考案筐体（防水筐体）
２  筐体本体
２０  開口端
２１  軒部
２２  ネジ穴
２３  返り部
２４  水抜き穴
３  蓋体
４  シール部材
５  押付部材
５０  開口窓
５１  爪部
５２  舌片
５３  貫通孔
１０  本考案構造（防水構造）
Ｂ  ボルト
【図１】
0003221093.tif 000003
【図２】
0003221093.tif 000004
【図３】
0003221093.tif 000005
【図４】
0003221093.tif 000006
【図５】
0003221093.tif 000007
【図６】
0003221093.tif 000008
【図７】
0003221093.tif 000009
【図８】
0003221093.tif 000010
【図９】
0003221093.tif 000011
【図１０】
0003221093.tif 000012